(57)【要約】【課題】作業者が落下するなどして支柱等を介して大きな衝撃力が加わった場合でも作業者が受けるダメージを小さく抑えることが可能な仮設用衝撃吸収冶具を提供する。【解決手段】本発明の仮設用衝撃吸収冶具１は、仮設足場の床板等を構成する板材に固定されるクランプ２と、クランプ２に連結された状態で支柱１０の下端１０ａに取り付けられる連結金具３を備えており、クランプ２には、上面２ａに連結金具３が雄ネジとナット１２ａを用いて固定され、側面２ｂに設けられた一対のボルト孔には締結用ボルト９がそれぞれ螺入されている。【選択図】図１
2020176464.tif 000002
【特許請求の範囲】
【請求項１】
仮設階段の踏板や仮設足場の床板を構成する板材に支柱を取り付ける際に用いられる仮設用衝撃吸収冶具であって、
前記板材を挟持するためのクランプと、
前記支柱の下端に取り付けられた連結金具と、
前記クランプの上面に立設された雄ネジと、
この雄ネジに取り付けられた第１のナットと、からなり、
前記連結金具は、
前記支柱の前記下端に対し下方へ突出するように設置されるとともに第１の貫通孔が設けられた矩形状の平板材からなる軸板と、
この軸板の前記第１の貫通孔に挿通された連結用ボルトと、
この連結用ボルトに取り付けられた第２のナットと、
側面視Ｌ字をなし前記軸板に平行をなすように設置された取付部と前記支柱の長手方向と直交するように設置された連結部を有する一対の連結板と、を備え、
一対の前記連結板は、
前記雄ネジと前記第１のナットによって前記連結部が前記クランプの前記上面に固定されるとともに、前記軸板と直交するように前記第１の貫通孔に挿通された状態の前記連結用ボルトを挿通可能に第２の貫通孔が前記取付部に設けられ、
前記連結用ボルトは、
前記軸板の前記第１の貫通孔と一対の前記連結板の前記第２の貫通孔に挿通された状態で前記第２の貫通孔から突出した部分に前記第２のナットが取り付けられていることを特徴とする仮設用衝撃吸収冶具。
【請求項２】
前記連結金具は、
側面視逆Ｕ字をなすように曲折された平板材からなる支持金具を備え、
この支持金具は、
前記支柱の前記下端に上面が接合されるとともに前記軸板の上端が下面に接合された矩形状の上板と、
この上板の両端から前記軸板と平行をなすようにそれぞれ下方へ延設されるとともに、前記軸板と直交するように前記第１の貫通孔に挿通された状態の前記連結用ボルトを挿通可能に第３の貫通孔がそれぞれ設けられた細長い矩形状の一対の側板と、からなり、
一対の前記連結板は、
前記取付部が前記支持金具の一対の前記側板と前記軸板の間にそれぞれ配置されるように設置され、
前記連結用ボルトは、
前記軸板の前記第１の貫通孔と一対の前記連結板の前記第２の貫通孔と前記支持金具の一対の前記第３の貫通孔に挿通された状態で前記第３の貫通孔から突出した部分に前記第２のナットが取り付けられていることを特徴とする請求項１に記載の仮設用衝撃吸収冶具。
【請求項３】
前記軸板に前記第１の貫通孔から前記支柱の長手方向に沿って所定の間隔をあけて設けられた第１の角度固定孔に挿通された角度固定用ボルトと、
この角度固定用ボルトに取り付けられる第３のナットと、を備え、
一対の前記連結板の前記取付部には、
前記第２の貫通孔と前記軸板の前記第１の貫通孔に前記連結用ボルトが挿通された状態で前記軸板と直交するように前記第１の角度固定孔に挿通された前記角度固定用ボルトを挿通可能に、複数の第２の角度固定孔が前記第２の貫通孔の中心軸を中心として所望の半径の回動軌跡に沿ってそれぞれ設けられており、
前記支持金具の一対の前記側板は、
前記第３の貫通孔と前記軸板の前記第１の貫通孔と一対の前記連結板の前記第２の貫通孔に前記連結用ボルトが挿通された状態で前記軸板と直交するように前記第１の角度固定孔と一対の前記連結板の前記第２の角度固定孔に挿通された前記角度固定用ボルトを挿通可能に第３の角度固定孔が設けられており、
前記角度固定用ボルトは、
前記軸板の前記第１の角度固定孔と一対の前記連結板の前記第２の角度固定孔と前記支持金具の一対の前記第３の角度固定孔に挿通された状態で前記第３の角度固定孔から突出した部分に前記第３のナットが取り付けられていることを特徴とする請求項２に記載の仮設用衝撃吸収冶具。
【請求項４】
前記連結金具は、
前記軸板と直交するように前記第１の貫通孔に挿通された状態の前記連結用ボルトを挿通可能に第４の貫通孔がそれぞれ設けられた細長い矩形状の平板材からなり一対の前記連結板の前記取付部と前記支持金具の一対の前記側板の間にそれぞれ設置される一対のスペーサを備え、
一対の前記スペーサには、
前記第４の貫通孔と前記軸板の前記第１の貫通孔と一対の前記連結板の前記第２の貫通孔と前記支持金具の一対の前記第３の貫通孔に前記連結用ボルトが挿通された状態で前記軸板と直交するように前記第１の角度固定孔と一対の前記連結板の前記第２の角度固定孔と前記支持金具の一対の前記第３の角度固定孔に挿通される前記角度固定用ボルトを挿通可能に第４の角度固定孔が設けられており、
前記連結用ボルトは、
前記第４の貫通孔と前記軸板の前記第１の貫通孔と一対の前記連結板の前記第２の貫通孔と前記支持金具の一対の前記第３の貫通孔に挿通された状態で前記第３の貫通孔から突出した部分に前記第２のナットが取り付けられており、
前記角度固定用ボルトは、
前記軸板の前記第１の角度固定孔と一対の前記連結板の前記第２の角度固定孔と前記支持金具の一対の前記第３の角度固定孔と一対の前記スペーサの前記第４の角度固定孔に挿通された状態で前記第３の角度固定孔から突出した部分に前記第３のナットが取り付けられていることを特徴とする請求項３に記載の仮設用衝撃吸収冶具。
【請求項５】
前記支柱が前記下端に開口部を有し、
前記連結金具は、
前記開口部から前記支柱へ内挿可能に形成されるとともに前記支持金具が下端に接合された棒状体を備えていることを特徴とする請求項２乃至請求項４のいずれか１項に記載の仮設用衝撃吸収冶具。
【請求項６】
前記棒状体の側面に設けられた第１の連結孔に挿通される棒状の連結具を備え、
前記支柱は、内部に前記棒状体が挿設された状態で前記第１の連結孔に挿通された前記連結具を挿通可能に第２の連結孔が側面に設けられていることを特徴とする請求項５に記載の仮設用衝撃吸収冶具。
【発明の詳細な説明】
【技術分野】
【０００１】
本発明は、高所作業が行われる現場において、作業者の命綱が繋留される親綱や手摺を設置するための支柱を仮設足場や仮設階段に取り付ける際に用いられる仮設用衝撃吸収冶具に係り、特に、耐衝撃性に優れた仮設用衝撃吸収冶具に関する。
【背景技術】
【０００２】
建設現場や工事現場等では、作業者が容易に移動できるように仮設足場が設置されることが多いが、高所作業を伴う場合には、この仮設足場に対して作業者の命綱を繋留するための親綱を設置することが義務付けられている。
通常、親綱を仮設足場に設置する際に使用される支柱は、所定の作業が終了した段階で撤去されるものであるため、仮設足場から容易に取り外すことができる構造でなければならない。その一方で、この支柱は、親綱にある程度の負荷が加わった場合でも容易には外れないような状態で仮設足場に取り付けられていることが必要である。
【０００３】
このような課題に対処するものとしては、例えば、特許文献１に、「親綱支柱」という名称で、建設中の建造物等の鉄骨梁の上やその間に渡された仮設通路沿いに、作業者の命綱を繋留するための親綱を張設する際に用いられる安全性に優れた支柱に関する発明が開示されている。
特許文献１に開示された発明では、支柱本体の下端部に左右一対のクランプ金具が取り付けられている。このクランプ金具は略横向き凹字形の鋼板からなる取付板に、上下の顎部が一体形成された側面視略横向きＵ字形の鉄鋼製の顎枠が嵌合された状態で溶接により固着され、その上側顎部に締付ねじ軸が上下方向に螺挿された構造となっている。
【０００４】
このような構造の親綱支柱においては、作業者が誤って落下してしまい、親綱支柱に負荷が加わったとしても支柱本体の下端部に取り付けられたクランプ金具が仮設足場から外れ難いという作用を有する。また、作業者の落下に伴って支柱本体に対して捻じる方向へ衝撃力が加わった場合、クランプ金具の取付片が曲がり変形することで、その衝撃力が吸収されるという作用を有する。
【０００５】
また、特許文献２には、「親綱支柱」という名称で、高所建設現場に設置される足場などに親綱を設置する場合に使用される支柱に関する発明が開示されている。
特許文献２に開示された発明では、支柱本体の下部に基礎装着部が設けられている。この基礎装着部は、支柱本体の下端部が差し込まれるパイプ状の支柱ソケットと、この支柱ソケットの両側にそれぞれ溶接により固定された二組のクランプ部材からなり、このクランプ部材が、互いに平行をなすように配置された一対のコ字状フレームと、これらのコ字状フレームによって挟持固定された１個のナット部材と、このナット部材に螺合する１本のクランプボルトと、コ字状フレームの間に突っ張り状態で設けられた連結部材を備えた構造となっている。
このような構造の親綱支柱においては、各クランプ部材を構成している一対のコ字状フレーム相互間がナット部材と連結部材によって強固に連結された中空ブロック体形状をなしているため、軽量でありながら、剛性が高いという作用を有する。
【０００６】
さらに、特許文献３には、「親綱支柱」という名称で、建設工事の安全用仮設具として作業員の安全帯が係合される親綱の支持に用いられる支柱に関する発明が開示されている。
特許文献３に開示された発明では、支柱本体の下端に固定部が取り付けられている。この固定部は、軽金属の押し出し形成材からなり、横方向に張り出すように上あご部及び下あご部が形成され、側面視コ字状の開口部を有し、開口部に差し入れられたＨ鋼等の梁のフランジを圧着ネジの先端部で押圧する構造となっている。そして、固定部に設けられた支柱本体差し込み部には、支柱本体下部を貫通して、支柱本体と固定部を接続するボルト挿通孔が穿設されている。
このような構造の親綱支柱においては、ボルトや支柱本体が破損し難い。また、支柱本体と固定部が別体として形成されており、部分的に交換が可能となっているため、メンテナンスが容易である。
【０００７】
そして、特許文献４には、「仮設工事用取付金具」という名称で、建築工事や土木工事の際に作業者に装着された命綱を引っ掛ける親綱を支持する支柱などを足場板等に固定する金具に関する発明が開示されている。
特許文献４に開示された取付金具は、親綱支柱の下端に取り付けられるものであり、親綱支柱の下端部に溶接される２枚の取付板と、この２枚の取付板の間に固定される下側補強部材と上側補強部材と、この上側補強部材に上下方向を向いた状態でねじ結合された２本のねじ部材を備えた構造となっている。
このような構造の取付金具においては、大きな曲げ力がねじ部材に直接加わらないため、取付強度が高いという作用を有する。
【先行技術文献】
【特許文献】
【０００８】
【特許文献１】特開２０１１−２４７０８８号公報
【特許文献２】特開２０１０−９５８５６号公報
【特許文献３】特開２００７−２８４９４１号公報
【特許文献４】特開２００３−１０５９７３号公報
【発明の概要】
【発明が解決しようとする課題】
【０００９】
特許文献１に開示された発明では、クランプ金具を構成する取付板が一枚の板材によって形成されていることから、支柱本体に衝撃力が加わった場合、取付片に上下の顎部が取り付けられた箇所に亀裂が生じ、最終的にクランプ金具が破損するおそれがあった。なお、クランプ金具が破損すると、床板を挟持する機能が損なわれるため、クランプ金具が床板から外れてしまう可能性が高い。この場合、支柱本体がクランプ金具ごと仮設足場から脱落することになるため、作業者の安全を確保し得ない。
【００１０】
特許文献２に開示された発明では、基礎装着部の剛性が高いものの、クランプ部材を構成するコ字状フレームが板材の一部を切り欠くようにして形成されたものであることから、作業者の落下に伴って、この基礎装着部に衝撃力が加わった場合、コ字状フレームの切り欠き部に亀裂が生じて、基礎装着部が破損する可能性が高い。基礎装着部が破損すると、クランプ部材によって仮設足場の床板等を挟持する機能が損なわれるため、クランプ部材とともに親綱支柱が足場から脱落してしまうおそれがある。その場合、作業者の安全を確保することは極めて困難である。
【００１１】
特許文献３に開示された発明では、固定部がブロック状の軽金属の押し出し形成材からなり、変形し難い構造であるため、作業者の落下に伴って衝撃力が加わった場合に、固定部の変形によって、その衝撃力が吸収されるという作用は発揮されない。したがって、特許文献３に開示された発明では、落下によって作業者が受けるダメージを低減することができないという課題があった。
【００１２】
特許文献４に開示された発明では、取付板にスリットが形成されていることから、作業者の落下に伴う衝撃力が取付金具に加わった場合に、スリットの部分に亀裂が生じ、取付板が破損してしまう可能性が高い。なお、取付板が破損すると、取付金具が足場板等を挟持する機能が損なわれて、取付金具が足場板等から外れ易くなる。この場合、支柱が足場板等から脱落してしまうおそれがあるため、作業者の安全を確保することが困難となる。
【００１３】
本発明は、このような従来の事情に対処してなされたものであり、作業者が落下するなどして支柱等を介して大きな衝撃力が加わった場合でも作業者が受けるダメージを小さく抑えることが可能な仮設用衝撃吸収冶具を提供することを目的とする。
【課題を解決するための手段】
【００１４】
上記目的を達成するため、第１の発明は、仮設階段の踏板や仮設足場の床板を構成する板材に支柱を取り付ける際に用いられる仮設用衝撃吸収冶具であって、板材を挟持するためのクランプと、支柱の下端に取り付けられた連結金具と、クランプの上面に立設された雄ネジと、この雄ネジに取り付けられた第１のナットと、からなり、連結金具は、支柱の下端に対し下方へ突出するように設置されるとともに第１の貫通孔が設けられた矩形状の平板材からなる軸板と、この軸板の第１の貫通孔に挿通された連結用ボルトと、この連結用ボルトに取り付けられた第２のナットと、側面視Ｌ字をなし軸板に対して平行をなすように設置された取付部と支柱の長手方向と直交するように設置された連結部を有する一対の連結板と、を備え、一対の連結板は、雄ネジと第１のナットによって連結部がクランプの上面に固定されるとともに、軸板と直交するように第１の貫通孔に挿通された状態の連結用ボルトを挿通可能に第２の貫通孔が取付部に設けられ、連結用ボルトは、軸板の第１の貫通孔と一対の連結板の第２の貫通孔に挿通された状態で第２の貫通孔から突出した部分に第２のナットが取り付けられていることを特徴とするものである。
なお、本発明において、側面視矩形状の平板材には、側面視略矩形状をなす平板材も含まれるとともに、側面視Ｌ字をなす連結板には、側面視略Ｌ字をなす連結板も含まれるものとする。
【００１５】
上記構造の仮設用衝撃吸収冶具を支柱に取り付けるとともに、仮設階段の踏板や仮設足場の床板を構成する板材をクランプで挟持すると、連結金具を介して支柱が上記板材に固定される。このようにして仮設階段の踏板や仮設足場の床板に設置された支柱は、作業員の命綱が繋留される親綱を取り付けるためのいわゆる「親綱支柱」として利用できる他、２本の支柱の間に板材やパイプ等からなる手摺を架け渡すことで「手摺を設置するための支柱」としても利用できる。
【００１６】
いずれにしても、仮設足場の床板等から作業員が足を踏み外すなどして、親綱や手摺に作業者の体重が急に加わった場合、支柱に対し、床板等がクランプによって挟持された部分を中心として回転させようとする力が働く。
その結果、クランプと連結金具には、連結用ボルトの軸方向に垂直な仮想平面内において支柱を回転させようとする力によって発生する曲げモーメント（図８（ａ）を用いて後述する第１の曲げモーメント）と、支柱の長手方向と連結用ボルトの軸方向に平行な仮想平面内において支柱を回転させようとする力によって発生する曲げモーメント（図８（ｂ）を用いて後述する第２の曲げモーメント）が発生する。
【００１７】
第１の発明では、軸板と連結板が連結用ボルトの軸方向に直交していることから、第１の曲げモーメントに係る曲げに対する剛性が高い。
また、第１の発明では、軸板のみが設置されている場合に比べて、第２の曲げモーメントによって曲げ変形を受ける部分が連結板の取付部の板厚分だけ厚くなっている。さらに、連結板では、取付部が倒れてクランプの上面と取付部がなす角度が変化しないように、取付部が連結部によって支持される構造となっているため、連結用ボルトを介して連結板の取付部に固定された軸板はクランプの上面となす角度が変化し難い。したがって、第１の発明においては、第２の曲げモーメントに係る曲げに対する剛性が軸板のみが設置されている場合よりも高いという作用を有する。
【００１８】
加えて、軸板の第１の貫通孔と一対の連結板の第２の貫通孔に挿通された連結用ボルトは、第１の曲げモーメントと第２の曲げモーメントが連結金具に加わった場合に一対の連結板が軸板と一体となって変形するように、一対の連結板を軸板に固定することで、これらの曲げモーメントに係る曲げに対する剛性をさらに高めるという作用を有する。
【００１９】
第１の発明では、一対の連結板の取付部を適切な板厚に設定することで、第２の曲げモーメントに係る曲げに対する剛性を第１の曲げモーメントに係る曲げに対する剛性よりも高くすることができる。そして、このような構造の第１の発明を用いて仮設足場の床板等に支柱を取り付けた場合、支柱に衝撃力が加わると、第２の曲げモーメントに係る曲げに対する剛性が第１の曲げモーメントに係る曲げに対する剛性よりも高いため、連結板は、取付部と連結部の接続部分において、幅方向（連結部と取付部の双方に平行な方向）の一端がクランプから持ち上がるように変形するとともに、幅方向の他端が沈み込むように変形する。これにより、上述の衝撃力が緩和される。
【００２０】
第２の発明は、第１の発明において、連結金具は、側面視逆Ｕ字をなすように曲折された平板材からなる支持金具を備え、この支持金具は、支柱の下端に上面が接合されるとともに軸板の上端が下面に接合された矩形状の上板と、この上板の両端から軸板と平行をなすようにそれぞれ下方へ延設されるとともに、軸板と直交するように第１の貫通孔に挿通された状態の連結用ボルトを挿通可能に第３の貫通孔がそれぞれ設けられた細長い矩形状の一対の側板と、からなり、一対の連結板は、取付部が支持金具の一対の側板と軸板の間にそれぞれ配置されるように設置され、連結用ボルトは、軸板の第１の貫通孔と一対の連結板の第２の貫通孔と支持金具の一対の第３の貫通孔に挿通された状態で第３の貫通孔から突出した部分に第２のナットが取り付けられていることを特徴とするものである。
なお、本発明において、側面視逆Ｕ字をなす支持金具には、側面視略逆Ｕ字をなす支持金具も含まれるとともに、矩形状の上板や側板には、側面視略矩形状をなす上板や側板も含まれるものとする。
【００２１】
上記構造によれば、支柱の下端に支持金具の上板の上面が接合される部分の面積が、支柱に軸板を直に接合する場合に軸板の上端が支柱の下端に接合される部分の面積よりも広いことから、軸板が支柱に対して直に接合される場合よりも高い強度で支持金具が支柱に接合される。そのため、軸板と連結板が支持金具を介して支柱に連結された構造の第２の発明では、軸板が支柱に対して直に接合される場合に比べて、軸板と連結板が支柱に連結される強度が高い。
【００２２】
なお、軸板は上端が支持金具の上板に接合されるとともに、連結用ボルトを介して支持金具の一対の側板に連結されていることから、支柱に衝撃力等が加わった場合に軸板と支持金具の接合部に集中して発生する応力は、軸板が支柱に対して直に接合されている場合に軸板と支柱の接合部に集中して発生する応力に比べると格段に小さい。
また、第２の発明では、支持金具の一対の側板が連結用ボルトと第２のナットによって軸板と一対の連結板に固定されており、第２の曲げモーメントによって曲げ変形を受ける部分の厚さが支持金具の一対の側板の板厚分だけ厚くなっていることから、第２の曲げモーメントに係る曲げに対する剛性が第１の発明の場合よりもさらに高められている。
【００２３】
第３の発明は、第２の発明において、軸板に第１の貫通孔から支柱の長手方向に沿って所定の間隔をあけて設けられた第１の角度固定孔に挿通された角度固定用ボルトと、この角度固定用ボルトに取り付けられる第３のナットと、を備え、一対の連結板の取付部には、第２の貫通孔と軸板の第１の貫通孔に連結用ボルトが挿通された状態で軸板と直交するように第１の角度固定孔に挿通された角度固定用ボルトを挿通可能に、複数の第２の角度固定孔が第２の貫通孔の中心軸を中心として所望の半径の回動軌跡に沿ってそれぞれ設けられており、支持金具の一対の側板には、第３の貫通孔と軸板の第１の貫通孔と一対の連結板の第２の貫通孔に連結用ボルトが挿通された状態で軸板と直交するように第１の角度固定孔と一対の連結板の第２の角度固定孔に挿通された角度固定用ボルトを挿通可能に第３の角度固定孔が設けられており、角度固定用ボルトは、軸板の第１の角度固定孔と一対の連結板の第２の角度固定孔と支持金具の一対の第３の角度固定孔に挿通された状態で第３の角度固定孔から突出した部分に第３のナットが取り付けられていることを特徴とするものである。
【００２４】
第３の発明においては、第２の発明の作用に加え、軸板の第１の貫通孔と一対の連結板の第２の貫通孔と支持金具の一対の第３の貫通孔に挿通された連結用ボルトを介して一対の連結板が軸板と支持金具に対して回動自在に連結されるとともに、軸板の第１の角度固定孔と一対の連結板の第２の角度固定孔と支持金具の一対の第３の角度固定孔に挿通された角度固定用ボルトによって一対の連結板が軸板と支持金具に対して回動不能になるという作用を有する。
【００２５】
また、この状態で角度固定用ボルトを第２の角度固定孔から抜出すると、一対の連結板が軸板と支持金具に対し連結用ボルトの中心軸を中心として回動自在となり、連結用ボルトの軸方向に直交する仮想平面内において、クランプに取り付けられた締結用ボルトの進退方向と支柱の長手方向のなす角度が可変になるという作用を有する。
さらに、一対の連結板を支柱の長手方向に対して所望の角度だけ回転させた後、角度固定用ボルトが抜出された第２の角度固定孔とは別の第２の角度固定孔と軸板の第１の角度固定孔と支持金具の第３の角度固定孔に角度固定用ボルトを挿通すると、軸板と支持金具に対して一対の連結板が再び回動不能となり、クランプに取り付けられた締結用ボルトの進退方向と支柱の長手方向のなす上記角度が固定されるという作用を有する。
【００２６】
第４の発明は、第３の発明において、連結金具は、軸板と直交するように第１の貫通孔に挿通された状態の連結用ボルトを挿通可能に第４の貫通孔がそれぞれ設けられた細長い矩形状の平板材からなり一対の連結板の取付部と支持金具の一対の側板の間にそれぞれ設置される一対のスペーサを備え、一対のスペーサには、第４の貫通孔と軸板の第１の貫通孔と一対の連結板の第２の貫通孔と支持金具の一対の第３の貫通孔に連結用ボルトが挿通された状態で軸板と直交するように第１の角度固定孔と一対の連結板の第２の角度固定孔と支持金具の一対の第３の角度固定孔に挿通される角度固定用ボルトを挿通可能に第４の角度固定孔が設けられており、連結用ボルトは、第４の貫通孔と軸板の第１の貫通孔と一対の連結板の第２の貫通孔と支持金具の一対の第３の貫通孔に挿通された状態で第３の貫通孔から突出した部分に第２のナットが取り付けられており、角度固定用ボルトは、軸板の第１の角度固定孔と一対の連結板の第２の角度固定孔と支持金具の一対の第３の角度固定孔と一対のスペーサの第４の角度固定孔に挿通された状態で第３の角度固定孔から突出した部分に第３のナットが取り付けられていることを特徴とするものである。
なお、本発明において、細長い矩形状の平板材からなるスペーサには、細長い略矩形状をなす平板材からなるスペーサも含まれるものとする。
【００２７】
第４の発明では、第２の曲げモーメントによって曲げ変形を受ける部分の厚さが第３の発明の場合よりもスペーサの板厚分だけ厚いため、第２の曲げモーメントに係る曲げに対する剛性が第３の発明の場合よりもさらに高いという作用を有する。
【００２８】
第５の発明は、第２の発明乃至第４の発明のうちのいずれかの発明において、支柱が下端に開口部を有し、連結金具は、開口部から支柱へ内挿可能に形成されるとともに支持金具が下端に接合された棒状体を備えていることを特徴とするものである。
【００２９】
第５の発明においては、第２の発明乃至第４の発明のうちのいずれかの発明の作用に加え、支柱の下端に設けられた開口部に棒状体を内挿することにより、連結金具を介して支柱に連結されるという作用を有する。
【００３０】
第６の発明は、第５の発明において、棒状体の側面に設けられた第１の連結孔に挿通される棒状の連結具を備え、支柱は、内部に棒状体が挿設された状態で第１の連結孔に挿通された連結具を挿通可能に第２の連結孔が側面に設けられていることを特徴とするものである。
第６の発明においては、第５の発明の作用に加えて、第１の連結孔と第２の連結孔に連結具を挿通すると、棒状体を介して支柱に連結されるとともに、この状態から連結具を第２の連結孔から抜出すると、支柱から分離可能になるという作用を有する。
【発明の効果】
【００３１】
既に説明したように、全体がブロック状の鋳物によって形成されたクランプは変形が困難なため、支柱に加わった衝撃力が緩和されない。したがって、親綱を張設するための支柱を仮設足場等に設置する際に、このような構造のクランプを用いた場合、作業者の落下により支柱に加わった衝撃力が緩和されないため、クランプが破損して支柱もろとも仮設足場から脱落してしまうおそれがある。
【００３２】
また、一部に切り欠きが設けられた板状のフレームによって形成されたクランプに衝撃力が加わった場合、切り欠きが設けられた箇所に亀裂が発生し、クランプが破損する可能性が高い。したがって、このような構造のクランプを上記支柱に用いた場合、支柱がクランプごと仮設足場から脱落してしまうおそれがあるため、作業者の安全を確保することは困難である。
【００３３】
これに対し、第１の発明を用いて仮設足場等に設置された支柱に対して衝撃力が加わった場合、一対の連結板が変形することで、その衝撃力が緩和されるため、クランプや連結金具が破損するおそれがない。すなわち、第１の発明によれば、仮設足場の床板等に設置された状態の支柱に衝撃力が加わった場合でもクランプや連結金具の破損に伴って支柱が仮設足場等から脱落してしまうことがないため、作業者は安心して作業を行うことができる。
【００３４】
第２の発明では、支柱に対する支持金具の接合強度が高く、支柱に衝撃力が加わった場合でも支柱に支持金具が接合された箇所が破損し難いため、支柱が仮設足場等から脱落するおそれがなく、安全に使用できるという第１の発明の効果がより一層発揮される。
【００３５】
第３の発明では、第２の発明の効果に加え、連結用ボルトの軸方向に直交する仮想平面上でクランプに取り付けられた締結用ボルトの進退方向と支柱の長手方向がなす角度の調整が容易であることから、第３の発明を用いて仮設足場の床板や仮設階段の踏板等を構成する板材に支柱を取り付けた場合、板材に対する取り付け角度の制約が少ないという効果を奏する。
【００３６】
第４の発明では、第２の曲げモーメントに係る曲げに対する剛性が第３の発明の場合よりもさらに高いため、第４の発明を用いて仮設足場の床板や仮設階段の踏板等を構成する板材に支柱を取り付けた場合、一対の連結板が変形することで支柱に加わった衝撃力が緩和されるという作用がより一層発揮される。
したがって、第４の発明によれば、支柱が仮設足場等から脱落するおそれがなく、安全性に優れるという効果が第３の発明の場合よりもさらに確実に発揮される。
【００３７】
第５の発明は、第２の発明乃至第４の発明のうちのいずれかの発明の効果を奏することに加え、筒状の支柱に対しては、その下端に棒状体を内挿するだけで、簡単に連結できるため、取り扱いが容易である。また、支柱が中実構造の場合には、棒状体を内挿できるように支柱の下端に開口部を設けるだけで良いため、支柱の加工費が安く抑えられるというメリットがある。
【００３８】
第６の発明は、支柱に対して脱着可能に連結される構造であるため、第５の発明の効果に加え、運搬や保管をする際には、支柱から取り外して嵩張らない状態にすることができるという効果を奏する。そして、第６の発明によれば、破損した場合には容易に交換することができ、また、破損していない場合には他の支柱に付け替えるなどして再利用することができるという効果を奏する。
【図面の簡単な説明】
【００３９】
【図１】（ａ）及び（ｂ）はそれぞれ本発明の実施の形態に係る仮設用衝撃吸収冶具が支柱に取り付けられた状態の一例を示す正面図及び左側面図である。
【図２】図１に示した仮設用衝撃吸収冶具が仮設足場の床板を構成する板材に取り付けられた状態を示す図である。
【図３】（ａ）は図１（ａ）において支柱の一部を紙面に平行な平面で切断した状態を示した図であり、（ｂ）は同図（ａ）に示した支柱の一部を拡大した図である。
【図４】図１に示したクランプの側面図である。
【図５】図１に示した連結金具の斜視図である。
【図６】（ａ）乃至（ｄ）は図１に示した連結金具を構成する支持金具、軸板、スペーサ及び連結板の外観を示した斜視図である。
【図７】図５におけるＡ−Ａ線矢視断面図である。
【図８】（ａ）は図２において支柱に仮設用衝撃吸収冶具が取り付けられた箇所を拡大した図であり、（ｂ）は同図（ａ）におけるＢ方向矢視図である。
【図９】図５において連結金具が変形した状態の一例を示す図である。
【図１０】図５において連結金具が変形した状態の一例を示す図である。
【図１１】図１０におけるＥ方向矢視図である。
【発明を実施するための形態】
【００４０】
本発明の仮設用衝撃吸収冶具について図１乃至図１１を用いて具体的に説明する。
なお、本発明の仮設用衝撃吸収冶具は、高所作業が行われる建設現場や工事現場等において、仮設足場や仮設階段などに親綱を張設するための支柱や手摺を取り付けるための支柱を設置する際に用いられるものである。
したがって、本明細書では、本発明の仮設用衝撃吸収冶具を介して上記支柱が仮設足場や仮設階段などに設置されている状態を想定して、「上板」や「下板」あるいは「上下」などの表現を用いている。すなわち、この「上」又は「下」の記載は、鉛直上下方向における上方側、又は、下方側をそれぞれ指し示している。
【００４１】
また、本発明の仮設用衝撃吸収冶具が取り付けられる支柱として、以下の説明では、親綱を張設するための支柱を例に挙げているが、本発明の仮設用衝撃吸収冶具は仮設足場や仮設階段などに手摺を取り付けるための支柱を設置する場合にも用いることができる。そして、この場合にも、以下に説明する本発明の作用及び効果は同様に発揮される。
【実施例】
【００４２】
図１（ａ）及び図１（ｂ）はそれぞれ本発明の実施の形態に係る仮設用衝撃吸収冶具が支柱に取り付けられた状態の一例を示す正面図及び左側面図である。図２は図１に示した仮設用衝撃吸収冶具が仮設足場の床板を構成する板材に取り付けられた状態を示す図である。図３（ａ）は図１（ａ）において支柱の一部を紙面に平行な平面で切断した状態を示した図であり、図３（ｂ）は図３（ａ）に示した支柱の一部を拡大した図である。
なお、図３（ｂ）では図３（ａ）に示した連結具の図示を省略している。
【００４３】
図１及び図２に示すように、本発明の仮設用衝撃吸収冶具１は、仮設階段の踏板や仮設足場の床板を構成する板材Ｐを挟持するためのクランプ２と、このクランプ２に連結された状態で支柱１０の下端１０ａに取り付けられる連結金具３を備えている。
クランプ２は側面視略「コ」の字状をなし、上面２ａには連結金具３を固定するための４本の雄ネジ（図示せず）が立設されており、この雄ネジにはナット１２ａがそれぞれ取り付けられている。
【００４４】
クランプ２の側面２ｂには内周面に雌ネジ部が形成された一対のボルト孔（図示せず）が設けられており、この一対のボルト孔には上面２ａに対して軸方向が平行をなすように締結用ボルト９がそれぞれ螺入されている。
また、支柱１０は角筒状の金属製部材であり、互いに平行な一対の側面１０ｂ，１０ｂには、連結具１１が横架されている。
【００４５】
図３（ａ）及び図３（ｂ）に示すように、連結具１１は支柱１０の側面１０ｂ，１０ｂに設けられた一対の連結孔１０ｃ，１０ｃに挿通されるネジ１１ａと、支柱１０の側面１０ｂから突出したネジ１１ａの先端部に取り付けられるナット１１ｂからなる。
連結金具３（図１（ａ）又は図１（ｂ）参照）は、支柱１０の下端１０ａから内部に挿設される金属製の角筒体４を備えており、角筒体４の互いに平行な一対の側面４ａ，４ａには、支柱１０の連結孔１０ｃ，１０ｃとともにネジ１１ａを挿通可能に一対の連結孔４ｂ，４ｂが設けられている。
【００４６】
図３（ａ）に示すように、連結金具３（図１（ａ）又は図１（ｂ）参照）の角筒体４が支柱１０の下端１０ａから内部に挿設された状態で、支柱１０の連結孔１０ｃ，１０ｃと角筒体４の連結孔４ｂ，４ｂに連結具１１のネジ１１ａが挿通されている場合、支柱１０から仮設用衝撃吸収冶具１を取り外すことはできない。
一方、図３（ｂ）に示すように、支柱１０の連結孔１０ｃ，１０ｃと角筒体４の連結孔４ｂ，４ｂにネジ１１ａが挿通されていない状態であれば、支柱１０から仮設用衝撃吸収冶具１を取り外すことができる。
【００４７】
このようにして、仮設用衝撃吸収冶具１は支柱１０に対して着脱自在に取り付けられている。すなわち、仮設用衝撃吸収冶具１では、支柱１０の下端１０ａに角筒体４を内挿するだけで、簡単に連結できるため、取り扱いが容易である。なお、支柱１０が中実構造の場合には、角筒体４を内挿できるように下端１０ａに開口部を設けるだけで良い。この場合、支柱１０の加工費が安く抑えられるというメリットがある。
【００４８】
さらに、仮設用衝撃吸収冶具１は支柱１０に対して脱着可能に連結される構造であるため、運搬や保管をする際には、支柱１０から取り外して嵩張らない状態にすることができる。そして、仮設用衝撃吸収冶具１は破損した場合、交換が容易であり、また、破損していない場合には他の支柱１０に付け替えるなどして再利用することができる。
【００４９】
図４は図１に示したクランプの側面図である。なお、図４では、連結金具３の連結板８を破線で示している。また、図１乃至図３に示した構成要素については同一の符号を付してそれらの説明を適宜省略する。
前述したように、クランプ２の上面２ａには、４本の雄ネジ（図示せず）が立設されている。そして、この４本の雄ネジには、図４に示すように、一対の平座金１２ｂ，１２ｂが外挿され、この一対の平座金１２ｂ，１２ｂを上下から挟むようにして一対のばね座金１２ｃ，１２ｃが外挿されている。さらに、この一対のばね座金１２ｃ，１２ｃを上下から挟むようにして一対のナット１２ａ，１２ａが上記雄ネジに取り付けられている。
【００５０】
すなわち、連結金具３は、一対の平座金１２ｂ，１２ｂの間に設置された一対の連結板８，８が一対のナット１２ａ，１２ａによって一対のばね座金１２ｃ，１２ｃを介して上下から挟まれるようにしてクランプ２に固定されている。
また、クランプ２に取り付けられた締結用ボルト９の先端部には、平面視円形をなすパッド９ａが取り付けられている。なお、クランプ２の上面２ａに立設された上述の雄ネジと締結用ボルト９には、ハイテンションボルトが用いられている。
【００５１】
図５は連結金具３の斜視図であり、図６（ａ）乃至図６（ｄ）は支持金具５、軸板６、スペーサ７及び連結板８の外観を示した斜視図である。また、図７は図５におけるＡ−Ａ線矢視断面図である。さらに、図８（ａ）は図２において支柱１０に仮設用衝撃吸収冶具１が取り付けられた箇所を拡大した図であり、図８（ｂ）は図８（ａ）におけるＢ方向矢視図である。なお、図７では図５に示した平座金１３ｇの図示を省略している。
図５乃至図７に示すように、連結金具３は、図３を用いて既に説明した角筒体４と、側面視逆Ｕ字をなすように曲折された長方形状の平板材からなる支持金具５と、略矩形状の平板材からなり支持金具５の内部に配置される軸板６及び一対のスペーサ７，７と、側面視Ｌ字をなすように曲折された平板材からなる一対の連結板８，８を備えている。
【００５２】
支持金具５は、角筒体４の下端に上面が接合される矩形状の上板５ａと、この上板５ａの両端からそれぞれ直角に下方へ延設されて細長い矩形状をなす一対の側板５ｂ，５ｃからなる。
また、上板５ａには、軸板６の上端に対して栓溶接をする際に用いられる角孔５ｄが設けられている（図６（ａ）参照）。
【００５３】
側板５ｂには、その長手方向（上板５ａに直交する方向）へ略等間隔に角度固定孔１４ａ，１４ｃ及び貫通孔１４ｅが角度固定用ボルト１３ａ，１３ｂ及び連結用ボルト１３ｃ（図７参照）を挿通可能にそれぞれ設けられており、側板５ｃには、上板５ａと平行をなすように角度固定孔１４ａ，１４ｃ及び貫通孔１４ｅに挿通された角度固定用ボルト１３ａ，１３ｂ及び連結用ボルト１３ｃを挿通可能に角度固定孔１４ｂ，１４ｄ及び貫通孔１４ｆが設けられている（図６（ａ）参照）。
また、角度固定用ボルト１３ａ，１３ｂ及び連結用ボルト１３ｃの角度固定孔１４ｂ，１４ｄ及び貫通孔１４ｆから突出した部分には、平座金１３ｇとナット１３ｄ〜１３ｆがそれぞれ取り付けられている。
【００５４】
軸板６は、細長い略矩形状をなす平板材からなり、支持金具５の側板５ｂ，５ｃの間にそれらと平行をなすように配置された状態において、上板５ａと平行をなすように角度固定孔１４ａ，１４ｃ及び貫通孔１４ｅに挿通された角度固定用ボルト１３ａ，１３ｂ及び連結用ボルト１３ｃを挿通可能に角度固定孔１５ａ，１５ｂ及び貫通孔１５ｃ（図６（ｂ）参照）が設けられている。
なお、軸板６は、上端に凸状部６ａが設けられており、この凸状部６ａを角孔５ｄの内部に設置した状態で支持金具５に対して栓溶接されている。
【００５５】
スペーサ７は、４つの角部が面取りされた細長い略矩形状をなす平板材からなり、支持金具５の側板５ｂ，５ｃの間にそれらと平行をなすように配置された状態において、上板５ａと平行をなすように角度固定孔１４ａ，１４ｃ及び貫通孔１４ｅに挿通された角度固定用ボルト１３ａ，１３ｂ及び連結用ボルト１３ｃを挿通可能に角度固定孔１６ａ，１６ｂ及び貫通孔１６ｃ（図６（ｃ）参照）が設けられている。
【００５６】
連結板８は、クランプ２の上面２ａに立設された前述の雄ネジが挿通される一対のボルト挿通孔１７，１７が設けられた矩形状の連結部８ａと、この連結部８ａの一端から直角（略直角の場合を含む。）に延設された取付部８ｂからなる。
なお、取付部８ｂは平面視した場合に矩形状をなす下部に半円状をなす上部が結合された形状をしている。また、一対のボルト挿通孔１７，１７は、それらの中心軸を通る平面が取付部８ａと平行をなすように形成されている。
【００５７】
取付部８ｂには、幅方向（連結部８ａと取付部８ｂのいずれにも平行な方向）の略中央に、連結部８ａが支持金具５の上板５ａと平行をなし、かつ、支持金具５の側板５ｂ，５ｃの間に取付部８ｂが配置された状態において、支持金具５の上板５ａと平行をなすように角度固定孔１４ａ，１４ｃ及び貫通孔１４ｅに挿通された角度固定用ボルト１３ａ，１３ｂ及び連結用ボルト１３ｃを挿通可能に角度固定孔１８ａ，１８ｂ及び貫通孔１８ｃ（図６（ｄ）参照）が設けられている。
また、取付部８ｂには、角度固定孔１８ａ，１８ｂと同一の半径を有する一対の角度固定孔１９ａ，１９ａと一対の角度固定孔１９ｂ，１９ｂが角度固定孔１８ａ及び貫通孔１８ｃの中心軸を通る平面の両側に対称をなすように設けられている。
【００５８】
なお、角度固定孔１９ａ，１９ｂは、角度固定孔１９ｂの中心軸が角度固定孔１９ａ及び貫通孔１８ｃの中心軸を通る平面上に配置されるとともに、角度固定孔１９ａ及び貫通孔１８ｃの中心軸間の距離が角度固定孔１８ａ及び貫通孔１８ｃの中心軸間の距離に等しく、かつ、角度固定孔１９ｂ及び貫通孔１８ｃの中心軸間の距離が角度固定孔１９ｂ及び貫通孔１８ｃの中心軸間の距離に等しくなるように形成されている。
【００５９】
すなわち、角度固定孔１９ａ，１９ｂは、支持金具５の貫通孔１４ｅ，１４ｆと連結板８の貫通孔１８ｃに連結用ボルト１３ｃが挿通された状態で支持金具５の側板５ｂ，５ｃと直交するように角度固定孔１４ａ，１４ｂ及び角度固定孔１４ｃ，１４ｄにそれぞれ挿通される角度固定用ボルト１３ａ，１３ｂを挿通可能となるように、貫通孔１８ｃを中心として所望の半径の回動軌跡に沿って等間隔に設けられている。
【００６０】
図７に示すように、支持金具５は、上板５ａの上面が角筒体４の下端に溶接されるとともに、側板５ｂ，５ｃの間に設置された軸板６の上端が上板５ａに溶接されている。
また、一対の連結板８，８は、軸板６の両面にそれぞれの背面を接触させるようにして取付部８ｂ，８ｂが支持金具５の側板５ｂ，５ｃの間に設置されている。
さらに、スペーサ７，７は支持金具５の側板５ｂ，５ｃと一対の連結板８，８の間にそれぞれ設置されている。
【００６１】
支持金具５の角度固定孔１４ａ，１４ｂ（図６（ａ）参照）と軸板６の角度固定孔１５ａ（図６（ｂ）参照）と一対のスペーサ７，７の角度固定孔１６ａ，１６ａ（図６（ｃ）参照）と一対の連結板８，８の角度固定孔１８ａ，１８ａ（図６（ｄ）参照）には角度固定用ボルト１３ａが挿通されている。
また、支持金具５の角度固定孔１４ｃ，１４ｄ（図６（ａ）参照）と軸板６の角度固定孔１５ｂ（図６（ｂ）参照）と一対のスペーサ７，７の角度固定孔１６ｂ，１６ｂ（図６（ｃ）参照）と一対の連結板８，８の角度固定孔１８ｂ，１８ｂ（図６（ｄ）参照）には角度固定用ボルト１３ｂが挿通されている。
さらに、支持金具５の貫通孔１４ｅ，１４ｆ（図６（ａ）参照）と軸板６の貫通孔１５ｃ（図６（ｂ）参照）と一対のスペーサ７，７の貫通孔１６ｃ，１６ｃ（図６（ｃ）参照）と一対の連結板８，８の貫通孔１８ｃ，１８ｃ（図６（ｄ）参照）には連結用ボルト１３ｃが挿通されている。
【００６２】
すなわち、仮設用衝撃吸収冶具１では、一対の連結板８，８が支持金具５の角度固定孔１４ａ，１４ｃ及び貫通孔１４ｅ並びに角度固定孔１４ｂ，１４ｄ及び貫通孔１４ｆに挿通された角度固定用ボルト１３ａ，１３ｂ及び連結用ボルト１３ｃを介して支持金具５に連結されるとともに、角度固定用ボルト１３ａ，１３ｂ及び連結用ボルト１３ｃの先端部にそれぞれ取り付けられた３つのナット１３ｄ〜１３ｆを締め込むことによって、一対の連結板８，８が支持金具５に固定される構造となっている。
【００６３】
なお、図７に示した状態において、角度固定用ボルト１３ａ，１３ｂを一対の連結板８，８の角度固定孔１８ａ，１８ａ及び角度固定孔１８ｂ，１８ｂから抜出すると、一対の連結板８，８が貫通孔１８ｃに挿通された連結用ボルト１３ｃを中心として回動自在となる。そこで、一対の連結板８，８を支持金具５の側板５ｂ，５ｃの長手方向に対して所定の角度だけ回動させた後、角度固定孔１９ａ，１９ｂに角度固定用ボルト１３ａ，１３ｂを挿通すると、一対の連結板８，８は、連結用ボルト１３ｃを中心とする上記回動が不能な状態になる。
このように、仮設用衝撃吸収冶具１においては、角度固定孔１８ａ，１８ｂ及び角度固定孔１９ａ，１９ｂと角度固定用ボルト１３ａ，１３ｂが、連結板８を支持金具５の側板５ｂ，５ｃの長手方向に対して所定の角度をなした状態で固定する連結板角度固定手段としての機能を有している。
【００６４】
このような構造の仮設用衝撃吸収冶具１においては、仮設階段の踏板や仮設足場の床板を構成する板材Ｐをクランプ２で挟持すると、支柱１０が連結金具３を介してクランプ２に連結された状態で板材Ｐに固定される。この支柱１０は、作業員の命綱が繋留される親綱を取り付けるためのいわゆる「親綱支柱」として利用できる他、２本の支柱１０の間に板材やパイプ等からなる手摺を架け渡すことで「手摺を設置するための支柱」として利用することが可能である。
【００６５】
仮設用衝撃吸収冶具１を用いて上述の板材Ｐに固定された支柱１０を「親綱支柱」や「手摺を設置するための支柱」として使用しているときに、板材Ｐの上を歩いていた作業員が足を踏み外すなどして落下すると、作業者の体重が親綱や手摺を介して支柱１０に急激に加わることになる。
このようにして支柱１０に対して急激に加わった衝撃力は、図８（ａ）に矢印Ｃで示すように連結用ボルト１３ｃの軸方向に垂直な仮想平面内において支柱１０を回転させようとする力と、図８（ｂ）に矢印Ｄで示すように支柱１０の長手方向と連結用ボルト１３ｃの軸方向に平行な仮想平面内において支柱１０を回転させようとする力に分解される。そして、この２方向の力によって、クランプ２と連結金具３には、それぞれ第１の曲げモーメントと第２の曲げモーメントが発生する。
【００６６】
仮設用衝撃吸収冶具１では、軸板６と一対の連結板８，８が連結用ボルト１３ｃの軸方向に直交しているため、第１の曲げモーメントに係る曲げに対する剛性が高い。
また、第２の曲げモーメントによって曲げ変形を受ける部分が軸板６のみが設置されている場合に比べて支持金具５の一対の側板５ｂ，５ｃと一対のスペーサ７，７と一対の連結板８，８の取付部８ｂ，８ｂの板厚分だけ厚くなっている。
さらに、一対の連結板８，８では、取付部８ｂが倒れてクランプ２の上面２ａと取付部８ｂがなす角度が変化しないように、取付部８ｂが連結部８ａによって支持される構造となっているため、連結用ボルト１３ｃを介して連結板８の取付部８ｂに固定された軸板６はクランプ２の上面２ａとなす角度が変化し難い。
すなわち、仮設用衝撃吸収冶具１では、軸板６のみが設置されている場合に比べて、第２の曲げモーメントに係る曲げに対する剛性が支持金具５と一対のスペーサ７，７と一対の連結板８，８によって高められている。
【００６７】
また、支持金具５の一対の側板５ｂ，５ｃに設けられた貫通孔１４ｅ，１４ｆと軸板６の貫通孔１５ｃと一対のスペーサ７，７の貫通孔１６ｃ，１６ｃと一対の連結板８，８の貫通孔１８ｃ，１８ｃに挿通された連結用ボルト１３ｃは、第１の曲げモーメントと第２の曲げモーメントが連結金具３に加わった場合に支持金具５の一対の側板５ｂ，５ｃと一対のスペーサ７，７と一対の連結板８，８の取付部８ｂ，８ｂが軸板６と一体となって変形するように、支持金具５と一対のスペーサ７，７と一対の連結板８，８を軸板６に固定することで、これらの曲げモーメントに係る曲げに対する剛性をさらに高めるという作用を有している。
【００６８】
なお、角筒体４に軸板６を直に接合しようとすると、軸板６の上端を角筒体４の下端に接合する必要があるが、この場合、角筒体４に軸板６を接合する部分の面積を広くとることができないため、角筒体４に対して軸板６を十分な強度で接合することが難しい。
これに対し、仮設用衝撃吸収冶具１では、角筒体４の下端に支持金具５の上板５ａの上面が接合される構造であり、角筒体４に支持金具５を接合する部分の面積を広くとることができるため、角筒体４に対して支持金具５を十分な強度で接合することができる。
【００６９】
また、仮設用衝撃吸収冶具１では、軸板６の上端が支持金具５の上板５ａに接合されるとともに、連結用ボルト１３ｃを介して軸板６が支持金具５の一対の側板５ｂ，５ｃに連結されているため、支柱１０に衝撃力等が加わった場合に軸板６と支持金具５の接合部に集中して発生する応力は、軸板６が角筒体４に対して直に接合されている場合に軸板６と角筒体４の接合部に集中して発生する応力に比べると格段に小さい。
したがって、仮設用衝撃吸収冶具１では、板材Ｐに取り付けられた状態の支柱１０に衝撃力が加わった場合でも角筒体４に支持金具５が接合された箇所が破損し難いため、支柱１０が仮設足場等から脱落するおそれがない。
【００７０】
さらに、仮設用衝撃吸収冶具１では、支持金具５と一対の連結板８，８が貫通孔１４ｅ，１４ｆと貫通孔１８ｃ，１８ｃに挿通された連結用ボルト１３ｃを介して連結される。そして、この状態から、連結用ボルト１３ｃを貫通孔１４ｅ，１４ｆと貫通孔１８ｃ，１８ｃから抜出すると、支持金具５と一対の連結板８，８が分離可能な状態になる。したがって、仮設用衝撃吸収冶具１は、一対の連結板８，８と支持金具５を分離して嵩張らない状態にすることで、保管スペースが節約されるとともに、運搬が容易になるという効果を有している。
また、仮設用衝撃吸収冶具１では、連結用ボルト１３ｃの軸方向に直交する仮想平面上で締結用ボルト９の進退方向と支柱１０の長手方向がなす角度の調整が容易である。したがって、仮設用衝撃吸収冶具１は、仮設足場の床板や仮設階段の踏板等を構成する板材Ｐに対する取り付け角度の制約が少ないという効果を有している。
【００７１】
ここで、仮設用衝撃吸収冶具１について強度試験を行った結果について図９乃至図１１を用いて説明する。なお、仮設用衝撃吸収冶具１の強度試験は、仮設足場の床板等を構成する板材Ｐに２本の支柱１０を所定の間隔をあけた状態で仮設用衝撃吸収冶具１を用いて取り付けた後、この２本の支柱１０の間に親綱を張設し、さらに、この親綱の中央部にワイヤを介して連結された所定の重量の錘を所定の高さまで持ち上げた状態から自由落下させるという方法で行った。
図９乃至図１１は、強度試験後の連結金具３の変形状態を示した図であり、図１１は図１０におけるＥ方向矢視図である。
【００７２】
仮設用衝撃吸収冶具１では、支持金具５の一対の側板５ｂ，５ｃと軸板６と一対のスペーサ７，７と一対の連結板８，８の取付部８ｂ，８ｂをそれぞれ適切な板厚に設定することで、第２の曲げモーメントに係る曲げに対する剛性を第１の曲げモーメントに係る曲げに対する剛性よりも高くすることができる。
そして、このような状態に設定した仮設用衝撃吸収冶具１を用いて仮設足場の床板等を構成する板材Ｐに支柱１０を取り付けると、支柱１０に衝撃力が加わった場合に、第２の曲げモーメントに係る曲げに対する剛性が第１の曲げモーメントに係る曲げに対する剛性よりも高いため、一対の連結板８，８は、取付部８ｂと連結部８ａの接続部分において、幅方向（連結部８ａと取付部８ｂの双方に平行な方向）の一端がクランプ２（図示せず）から持ち上がるように変形するとともに（図９参照）、幅方向の他端が沈み込むように変形する（図１０参照）。
このとき、連結金具３は、第２の曲げモーメントに係る曲げに対する剛性が高いことから、図１１に示すように、支持金具５と軸板６と連結板８の取付部８ｂは破損することなく、元の形状が維持される。
【００７３】
このように、仮設用衝撃吸収冶具１を用いて仮設足場の床板等を構成する板材Ｐに支柱１０を設置した場合、支柱１０に衝撃力が加わったとしても、一対の連結板８，８が変形することで、その衝撃力が緩和される。そのため、クランプ２や連結金具３が破損して、支柱１０が仮設足場の床板等から脱落してしまうおそれはない。
すなわち、仮設用衝撃吸収冶具１を用いて支柱１０を仮設足場の床板等に設置した場合には、万一、その支柱１０に衝撃力が加わったとしても仮設足場等から支柱１０が脱落してしまうおそれがないため、作業者は安心して作業を行うことができる。
【００７４】
本発明の仮設用衝撃吸収冶具は、上述の実施例に示した構造に限定されるものではない。例えば、支持金具５を設ける代わりに、角筒体４の下端に対して軸板６の上端が直に接合された構造とすることもできる。この場合、軸板６の上端が角筒体４の下端に接合される部分の面積を広くするとともに、支柱が衝撃力を受けた際に生じる第２の曲げモーメントによって曲げ変形を受ける部分を厚くするために、軸板６を上述の実施例で示した場合よりも厚くすることが望ましい。
【００７５】
また、仮設用衝撃吸収冶具１をスペーサ７が設置されていない構造とすることもできる。この場合、支柱１０が衝撃力を受けた際に生じる第２の曲げモーメントによって曲げ変形を受ける部分を厚くするために、支持金具５と軸板６と連結板８の少なくともいずれかを上述の実施例で示した場合よりも厚くする必要がある。
しかし、支持金具５と連結板８については、全体を厚くすると、曲折することが困難になる。そこで、側板５ｂ，５ｃや取付部８ｂを上板５ａや連結部８ａよりも厚くすることになるが、上板５ａと側板５ｂ，５ｃの厚さが異なったり、連結部８ａと取付部８ｂの厚さが異なったりすると、支柱１０が衝撃力を受けた場合に上板５ａと側板５ｂ，５ｃの接続部分や連結部８ａと取付部８ｂの接続部分に応力が集中して破損し易くなる可能性があるため、注意が必要である。
【００７６】
一方、軸板６の全体を厚くすると、凸状部６ａも厚くなるため、支持金具５の上板５ａに設ける角孔５ｄを大きくする必要がある。しかし、角孔５ｄの大きさは、支持金具５の上板５ａの強度に影響を与えるため、角孔５ｄはあまり大きくすることができない。
そこで、軸板６について凸状部６ａ以外の箇所を厚くすることになるが、凸状部６ａとそれ以外の箇所の厚さが異なると、支柱１０が衝撃力を受けた場合に軸板６の上端の凸状部６ａが設けられた箇所に応力が集中して破損し易くなる可能性があるため、注意が必要である。
【００７７】
さらに、仮設用衝撃吸収冶具１は、角筒体４を設けずに、支持金具５の上板５ａの上面が支柱１０の下端１０ａに接合された構造や、角筒体４と支持金具５を設けずに、支柱１０の下端１０ａに軸板６の上端が直に接合された構造であっても良い。なお、角筒体４を設けない場合であっても、角筒体４を設ける場合について既に説明した支持金具５の作用及び効果は同様に発揮される。
また、角筒体４の代わりに、中実構造の棒状体を用いることもできる。すなわち、本発明の仮設用衝撃吸収冶具は、中実構造の棒状体の下端に支持金具５の上板５ａの上面が接合された構造であっても良い。
【産業上の利用可能性】
【００７８】
本発明は、高所作業が行われる現場において、作業者の命綱が繋留される親綱の支柱や手摺を取り付けるための支柱を仮設足場や仮設階段に設置する場合に適用可能である。
【符号の説明】
【００７９】
１…仮設用衝撃吸収冶具  ２…クランプ  ２ａ…上面  ２ｂ…側面  ３…連結金具  ４…角筒体  ４ａ…側面  ４ｂ…連結孔  ５…支持金具  ５ａ…上板  ５ｂ…側板  ５ｃ…側板  ５ｄ…角孔  ６…軸板  ６ａ…凸状部  ７…スペーサ  ８…連結板  ８ａ…連結部  ８ｂ…取付部  ９…締結用ボルト  ９ａ…パッド  １０…支柱  １０ａ…下端  １０ｂ…側板  １０ｃ…連結孔  １１…連結具  １１ａ…ネジ  １１ｂ…ナット  １２ａ…ナット  １２ｂ…平座金  １２ｃ…ばね座金  １３ａ，１３ｂ…角度固定用ボルト  １３ｃ…連結用ボルト  １３ｄ〜１３ｆ…ナット  １３ｇ…平座金  １４ａ〜１４ｄ…角度固定孔  １４ｅ，１４ｆ…貫通孔  １５ａ，１５ｂ…角度固定孔  １５ｃ…貫通孔  １６ａ，１６ｂ…角度固定孔  １６ｃ…貫通孔  １７…ボルト挿通孔  １８ａ，１８ｂ…角度固定孔  １８ｃ…貫通孔  １９ａ，１９ｂ…角度固定孔  Ｐ…板材
【図１】
2020176464.tif 000003
【図２】
2020176464.tif 000004
【図３】
2020176464.tif 000005
【図４】
2020176464.tif 000006
【図５】
2020176464.tif 000007
【図６】
2020176464.tif 000008
【図７】
2020176464.tif 000009
【図８】
2020176464.tif 000010
【図９】
2020176464.tif 000011
【図１０】
2020176464.tif 000012
【図１１】
2020176464.tif 000013
【手続補正書】
【提出日】令和1年7月12日(2019.7.12)
【手続補正１】
【補正対象書類名】明細書
【補正対象項目名】００４０
【補正方法】変更
【補正の内容】
【００４０】
本発明の仮設用衝撃吸収冶具について図１乃至図１１を用いて具体的に説明する。
なお、本発明の仮設用衝撃吸収冶具は、高所作業が行われる建設現場や工事現場等において、仮設足場や仮設階段などに親綱を張設するための支柱や手摺を取り付けるための支柱を設置する際に用いられるものである。
したがって、本明細書では、本発明の仮設用衝撃吸収冶具を介して上記支柱が仮設足場や仮設階段などに設置されている状態を想定して、支柱の「下端」という表現を用いている。そして、この支柱の「下端」に取り付けられた仮設用衝撃吸収冶具において、図１（ａ）又は図１（ｂ）に基づいて、「クランプの上面」、「支持金具の上板」、「軸板の上端」、「下方」、あるいは「上下」などの表現を用いている。すなわち、仮設用衝撃吸収冶具における、この「上」又は「下」の記載は、鉛直方向と平行に設置されている状態の支柱において、その下端に近い側、又は、その下端から遠い側をそれぞれ指し示している。